(57)【特許請求の範囲】
【請求項１】
有底状容体と前記容体に嵌着する栓体とからなる飲食物携帯用容器において、
前記栓体は外側方に前記容体を囲む側周カバー部を有し、上面の平面状天壁部の内側中央部に凹部を形成し、前記凹部の内側に前記凹部の径より略同径状もしくは小径状にして且つ周壁部を有する栓キャップ嵌挿部を形成し、外側に雄ネジを設けた前記容体の開口部に螺合するネジ筒部と下方に通気弁が着脱可能な底壁部を有するネジ筒体を形成し、前記ネジ筒体の上方部を前記天壁部の裏面部に接着せしめると共に、前記接着時に、栓キャップ嵌挿部の下方底部と前記ネジ筒体の底壁部より上方に形成する係止部の上方部とが当接状態となり、前記ネジ筒体の底壁部の外周にパッキンを嵌着せしめ、前記栓キャップ嵌挿部に挿込み脚部を有するシリコンゴム製栓キャップを着脱自在に嵌挿せしめ組立てると共に、前記栓キャップ嵌挿部に挿込む挿込み脚部と、前記挿込み脚部の下方部に外側方に突出する係止部が形成され、且つ前記栓キャップの挿込み脚部の内側が、空室部にて形成されていることを特徴とする飲食物携帯用容器。
【請求項２】
前記栓体の天壁部と前記天壁部と延設する栓キャップ嵌挿部と、前記ネジ筒体のネジ筒体と前記底壁部との間に形成の空室部に保温部材を充填せしめることを特徴とする請求項１に記載の飲食物携帯用容器。
【請求項３】
前記栓キャップは、上面部が前記栓体の天壁部と同一平面状にて形成されていることを特徴とする請求項１又は２に記載の飲食物携帯用容器。
【請求項４】
前記栓キャップは、栓キャップを構成する挿込み脚部の外側周囲部及び係止部にかけて凹溝を形成せしめることを特徴とする請求項１又は２又は３に記載の飲食物携帯用容器。
【発明の詳細な説明】
【技術分野】
【０００１】
本発明は、栓体の開閉に影響しないと共に栓体の構成部材の部品点数が少なく、且栓キャップの着脱が容易にして、容器全体の保温効果を有する飲食物携帯用容器の分野に関するものである。
【背景技術】
【０００２】
従来、飲食物携帯用容器として、特開２０１１−９８７６１公開特許公報が開示されている。
【０００３】
この公開公報にて開示されている飲食物携帯用容器は、栓キャップ部材９を回して栓部材６との締結を解除する操作性の低下を避けつつ、栓体２の側周を構成する栓キャップ部材９の側周部分の栓部材６の容器側周カバー部からの高さをより低く設け、又は栓キャップ部材の上面を容器側周カバー部１０よりも低く設けられるようにすることをこの発明の課題としている。
【０００４】
その発明の課題を解決するための手段として、第１のねじ筒部４及び底壁５をもつ栓部材６と、第２のねじ筒部７及び天井壁８をもつ栓キャップ部材９とを締結して容器１内に位置する内部空間３を形成できる栓体２を、栓部材６の容器側周カバー部１０と容器１のねじ部１１，１２で着脱可能とし、凸面２３ａ，２８等が同時期に複数個所で係合することで栓キャップ部材９と栓部材６の締付け回転の限界位置が一箇所に定まり、前記係合よりも手前の時期に凸部２２，２７の乗り越え合いで回転抵抗が変動し、回転抵抗が軽くなる回転位置で締付け回転の終了位置を設定し、乗り越えの間に橋状部２５の撓みによって凸部２２が回転中心側に変位するようにした。
【先行技術文献】
【特許文献】
【０００５】
【特許文献１】特開２０１１−９８７６１公開特許公報
【発明の概要】
【発明が解決しようとする課題】
【０００６】
前記開示の飲食物携帯用容器の栓体２は、栓部材６の上面に上面部が薄い栓キャップ部材９が載置されている構成であり、しかも栓キャップ部材９は栓部材６の上面の全体に広く、且つ密着状態に載置されているがために取り出すのに開けにくい弊害がある。
【０００７】
さらに、従来開示の飲食物携帯容器の栓体２の栓キャップ部材９は、側壁部に凸部２２、係合凸部２３、径方向貫通孔２４、橋状部２５・・・を設け、凸部２２と栓部材６の凸部２７同士が乗り合った状態になって締め付けられると云う極めて構成部材が多くして複雑な構成となっている。
【０００８】
また、前記した従来開示の飲食物携帯用容器の栓体２は、保温効果を高めるための保温材が使用されていない。
【０００９】
しかるに、本発明が解決しようとする課題は、前記した従来開示の飲食物携帯用容器の栓キャップ部材９のような複雑な嵌脱機構を採用せずに、しかも極めてシンプルな構造の栓キャップを採用して、メンテナンスや製造費の節減をすると共に、栓キャップを栓体の天壁部の内側部に位置するようにセットされていて、栓キャップの開閉に殆んど影響しないようにした。
【００１０】
さらに、前記栓キャップは、従来開示の栓キャップ部材９と異なり、係止機構を着脱が容易にできるように極めて簡単な構造とすると共に、故障や不良発生の可能性を極めて少なくした。
【００１１】
また本発明が解決しようとする課題は、前記栓体の内側部に空室部を形成してこの空室部に保温材（例えばポリスチレンフォーム等）を充填して、被収納物の飲食物の保温効果を著しく高めるようにした。
【課題を解決するための手段】
【００１２】
課題を解決するための手段として、請求項１に記載の飲食物携帯用容器は、有底状容体ａと前記容体ａに嵌着する栓体ｂとからなる飲食物携帯用容器において、
前記栓体ｂは外側方に前記容体ａを囲む側周カバー部１３を有し、上面１５ａの平面状天壁部１５の内側中央部１６に凹部１７を形成し、前記凹部１７の内側に前記凹部１７の径より略同径状もしくは小径状にして且つ周壁部１８を有する栓キャップ嵌挿部１９を形成し、外側に雄ネジ２１を設けた前記容体ａの開口部６に螺合するネジ筒部２０ａと下方に通気弁２３が着脱可能な底壁部２４を有するネジ筒体２０を形成し、前記ネジ筒体２０の上方部を前記天壁部１５の裏面部２９に接着せしめると共に、前記接着時に、栓キャップ嵌挿部１９の下方底部１９ａと前記ネジ筒体２０の底壁部２４より上方に形成する係止部２６の上方部とが当接状態となり、前記ネジ筒体２０の底壁部２４の外周にパッキン２８を嵌着せしめ、前記栓キャップ嵌挿部１９に挿込み脚部３３ａを有するシリコンゴム製栓キャップ３２を着脱自在に嵌挿せしめ組立てると共に、前記栓キャップ嵌挿部１９に挿込む挿込み脚部３３ａと、前記挿込み脚部３３ａの下方部に外側方に突出する係止部３４が形成され、且つ前記栓キャップ３２の挿込み脚部３３ａの内側が、空室部３５にて形成されているものである。
【００１３】
課題を解決するための手段として、請求項２に記載の飲食物携帯用容器は、前記栓体の天壁部１５と前記天壁部１５と延設する栓キャップ嵌挿部１９と、前記ネジ筒体２０のネジ筒体２０と前記底壁部２４との間に形成の空室部３５に保温部材３６を充填せしめる飲食物携帯用容器である。
【００１４】
課題を解決するための手段として、請求項３に記載の飲食物携帯用容器は、前記栓キャップ３２が、上面部が前記栓体ｂの天壁部１５と同一平面状にて形成されている飲食物携帯用容器である。
【００１５】
課題を解決するための手段として、請求項４に記載の前飲食物携帯用容器は、記栓キャップ３２が、栓キャップ３２を構成する挿込み脚部３３ａの外側周囲部３３ｄ及び係止部３４にかけて凹溝３３ｃを形成せしめる飲食物携帯用容器である。
【発明の効果】
【００１６】
請求項１に記載の発明は、有底状容体と前記容体に嵌着する栓体とからなる飲食物携帯用容器において、
前記栓体は外側方に前記容体を囲む側周カバー部を有し、上面の平面状天壁部の内側中央部に凹部を形成し、前記凹部の内側に前記凹部の径より略同径状もしくは小径状にして且つ周壁部を有する栓キャップ嵌挿部を形成し、外側に雄ネジを設けた前記容体の開口部に螺合するネジ筒部と下方に通気弁を着脱可能な底壁部を有するネジ筒体を形成し、前記ネジ筒体の前記鍔部を前記天壁部の裏面部に接着せしめると共に、前記鍔部の接着時に、栓キャップ嵌挿部の下方底部と前記ネジ筒体の底壁部より上方に形成する係止部の上方部とが当接状態となり、前記ネジ筒体の底壁部の外周にパッキンを嵌着せしめ、前記栓キャップ嵌挿部に挿込み脚部を有するシリコンゴム製栓キャップを着脱自在に嵌挿せしめ組立てると共に、前記栓キャップ嵌挿部に挿込む挿込み脚部と、前記挿込み脚部の下方部に外側方に突出する係止部が形成され、且つ前記栓キャップの挿込み脚部の内側が空室部にて形成されている飲食物携帯用容器なので、栓体の構成のコンパクト化と栓キャップのコンパクト化を同時にはかり、且つシンプルな形状に形成して着脱を極めて簡単とし、且つ安価な製作を可能とし、メンテナンスの作業性を良好にした。
【００１７】
本発明は、前記栓キャップの挿込み脚部の内側が、空室部となっている飲食物携帯用容器なので、栓キャップの上面部の中央部分を手指で押圧すると前記天板部の周縁部が若干浮上がり、当該浮上がり周縁部の一部を手指で摘み持上げると栓キャップが容易に離脱できる。
【００１８】
本発明は、前記栓キャップが、挿込み脚部の下方部に外側方に突出する係止部を形成せしめている飲食物携帯用容器なので、栓キャップが容易に抜けたりしない効果を有している。
【００１９】
さらに、請求項２記載の発明は、前記栓体の天壁部と前記天壁部と延設する栓キャップ嵌挿部と、前記ネジ筒体のネジ筒体と前記底壁部との間に形成の空室部に保温部材を充填せしめる飲食物携帯用容器なので、容体に注入する飲食物の保温効果を著しく高めることができる。
【００２０】
また、請求項３記載の発明は、前記栓キャップの上面部が前記栓体の天壁部と同一平面状にて形成されている飲食物携帯用容器なので、栓体の上面に別個の容器類を載置しても安定した状態を確保できる。
【００２１】
請求項４に記載の発明は、前記栓キャップが、栓キャップを構成する挿込み脚部の外側周囲部にかけて凹溝を形成せしめる飲食物携帯用容器なので、容器内に注入されている被収納物の温度によって発生する気圧の調整弁である通気弁から流出する気圧を前記凹溝によってスムーズに処理することができる。
【図面の簡単な説明】
【００２２】
【図１】本発明飲食物携帯用容器の斜視図である。
【００２３】
【図２】同容器の正面図である。
【００２４】
【図３】同容器の平面図である。
【００２５】
【図４】同容器の要部の縦断面図である。
【００２６】
【図５】同容器における半截縦断面図である。
【００２７】
【図６】同容器の栓キャップを除去した半截縦断面図である。
【００２８】
【図７】栓キャップの底面図である。
【発明を実施するための最良の形態】
【００２９】
請求項１〜４に記載する発明の実施の形態は共通しているので以下のとおり一括して説明する。
【００３０】
ａは本発明の飲食物携帯用容器を構成する容体であり、以下の構成からなっている。
【００３１】
この容体ａは、外筒部１と内筒部２とからなる。前記外筒部１と内筒部２とは、上方部にて接着状態となって、開口部６が形成される。３は容体ａの底部、４は前記外筒部１の外周部に形成の雄ネジ、５は前記内筒部２の内側部に形成の雌ネジである。７は前記内筒部２の収納部、８は前記内筒部２と外筒部１との間の間隙部、１０は前記内筒部２と外筒部１との接合部である。
【００３２】
前記外筒部１の上方部には雄ネジ４が、前記内筒部２の内側部には雌ネジ５が夫々形成されている。
【００３３】
１１は飲み口カバー部であり以下の構成を有している。
【００３４】
内側部には前記外筒部１の雄ネジ４に嵌脱する雌ネジ９が形成され、且上方部１４には外側方に傾斜する誘導部１２が形成されている。前記上方部１４と下方底部１４ａとの間には所定長さの垂直状の周側部１１ａが形成されている。
【００３５】
以上の構成がリング状誘導体１１である。
【００３６】
前記容体ａと前記飲み口カバー部１１との関係は、図４、５、６に図示のとおり、外筒部１の雄ネジ４に前記飲み口カバー部１１の雌ネジ９が嵌着する。
【００３７】
ｂは前記容体ａに嵌着する栓体であり以下の構成からなっている。
【００３８】
この栓体ｂは外側方に前記容体ａを囲む側周カバー部１３を有し、上面１５ａは平面状天壁部１５を形成する。
【００３９】
そして、前記天壁部１５の内側中央部１６に円形状凹部１７を形成し、前記凹部１７の内側にさらに前記凹部１７の径より小径状にして且つ周壁部１８を有する栓キャップ嵌挿部１９を形成する。
【００４０】
２０は前記栓体ｂを形成するネジ筒体であり、以下の構成からなる。
【００４１】
このネジ筒体２０は、ネジ筒体２０を形成するネジ筒部２０ａの外側に前記容体ａの内筒部２の雌ネジ１０に嵌着する雄ネジ２１を形成し、且つネジ筒部２０ａの上方部に外側方に延設する通嵌円盤形状の鍔部２２を形成する。
【００４２】
さらに、前記ネジ筒部２０ａの内側部には、通気弁２３が着脱可能な底壁部２４が形成される。この底壁部２４には前記通気弁２３の嵌着用小孔２５と、前記嵌着用小孔２５の左右両サイドに、２個の小孔２５が形成されている。２６は底壁部２４の上面にして、嵌着した通気弁２３より幅員が大きい径にして、前記栓キャップ嵌挿部１９の下方底部１９ａに接し、且突出状に形成する係止部である。２７は前記底壁部２４の下方部に形成したゴム資材製等のパッキン２８を嵌着する引掛け部である。前記通気弁２３は底壁部２４の裏面より小孔２５に嵌着される。
【００４３】
以上がネジ筒体２０の構成である。
【００４４】
そして、前記ネジ筒体２０は、前記鍔部２２を前記天壁部１５の裏面部２９に熔着等の手段を介して接着せしめる。その際前記鍔部２２の接着時に、栓キャップ嵌挿部１９の下方底部１９ａと前記ネジ筒体２０の底壁部２４の上面より上方向に突出状に形成する係止部２６とが当接状態となる（図４、５、６）。
【００４５】
前記のように、ネジ筒体２０と前記栓体ｂの天壁部１５が接着すると、前記栓体ｂの天壁部１５と前記天壁部１５と延設する栓キャップ嵌挿部１９と、前記ネジ筒体２０のネジ筒部２０ａと前記底壁部２４との間に広い空隙を有する空室部３５が形成される。
【００４６】
そして、前記空室部３５内にポリスチレンフォーム製等の保温部材３６を充填する（図４）。
【００４７】
前記パッキン２８は前記栓体ｂが容体ａに嵌合し螺着されると、容体ａの内側内に嵌合密着する。  
【００４８】
３２は栓キャップであり以下の構成からなっている。
【００４９】
この栓キャップ３２の第１実施例は、可塑性合成樹脂製もしくはシリコンゴム製であって、前記栓体ｂの天壁部１５の凹部１７に嵌挿する前記栓体ｂの天壁部１５の幅員の３分の１ないし４分の１程度の狭い幅員の天板部３３と、前記栓キャップ嵌挿部１９に挿込む挿込み脚部３３ａと、前記挿込み脚部３３の下方部に外側方に突出する係止部３４が形成されている。さらに、この栓キャップ３２は、前記挿込み脚部３３ａの外側周囲部３３ｄ及び係止部３４並に天板部３３の裏面部３３ｅにかけて凹溝３３ｃを左右対称にして、且つ２本形成せしめる。本数は限定的でない。
【００５０】
さらに、第２実施例の栓キャップ３２は、前記天板部３３を形成せずに実施することもできる。その際、前記栓キャップ３２を離脱させるには、前記栓キャップ３２の上面中央部を手指で押圧すると、前記栓キャップ３２の外周部が若干立ち上がるので、手指で摘かみ引き上げれば離脱できる。
【００５１】
前記栓キャップ３２の挿込み脚部３３ａの内側は、空室部３３ｂとなっている。この空室部３３ｂは、栓キャップ３２の天板部３３が凹部１７に嵌挿状態となっているとき、前記栓キャップ３２の中心部を手指で若干押圧してやると凹むようになっている。そして、前記のように手指で押圧しつづけると、前記天板部３３の周縁部が若干浮上がり状態となる。前記のように浮上がっている天板部３３の周縁部の一部を手指で摘んで持上げると、栓キャップ３２は容易に離脱できる。
【００５２】
そして、前記栓キャップ３２は、栓キャップ３２の脚部３３ａが前記栓キャップ嵌挿部１９内に挿入すると、前記栓キャップ３２の外側方に突設する係止部３４が、前記栓キャップ嵌挿部１９を形成する周壁部１８の下方端部に内側方に突設する下方係止部１８ａと係止する。
【００５３】
上記のとおり、引掛り係止している前記栓キャップ３２は、係止部３４が下方係止部１８ａに確実に引掛っているので不意に抜けたりはしない。
【００５４】
さらに、第３実施例の栓キャップ３２は、栓キャップ３２と栓キャップ嵌挿部１９との間において、ネジを相互に形成し、螺合させるという構造にしても良い。従って限定した構造ではない。  
【００５５】
前記容体ａに栓体ｂを嵌着するには以下のようにする。
【００５６】
前記容体ａに前記栓体ｂを嵌挿し回転すると、両体は、螺合して図４、５、６に図示されているように前記栓体ｂの側周カバー部１３が飲み口カバー部１１に重なり、前記パッキン２８が前記内筒部２内に嵌挿し且つ螺合して前記容体ａ内に注入の飲食物の飛散を阻止する嵌挿状態となって組立てられる。
【００５７】
前記ネジ筒体２０を構成する底壁部２４の小孔２５に嵌着している通気弁２３の左右両サイドに形成されている２個の小孔２５と、前記栓キャップ３２に形成されている凹溝３３ｃとの関係は下記のとおりである。
【００５８】
すなわち、前記容体ａ内に飲食物が注入し、前記栓体ｂを嵌着すると、前記容体ａ内の温度が高温から低温になる。その際外気が前記栓キャップ３２に形成されている凹溝３３ｃから前記２個の小孔２５を通じ前記通気弁２３を押圧して前記容体ａ内へと流入し、前記容体ａ内の気圧差を解消して前記栓体ｂの開放を容易にする。
【符号の説明】
【００５９】
ａ        容体
ｂ        栓体
１        外筒部
２        内筒部
３        底部
４        雄ネジ
５        雌ネジ
６        開口部
７        収納部
８        間隙部
９        雌ネジ
１０      雌ネジ
１１      飲み口カバー部
１１ａ    周側部
１２      誘導部
１３      側周部
１４      上方部
１４ａ    下方底部
１５      天壁部
１５ａ    上面
１６      内側中央部
１７      凹部
１８      周壁部
１８ａ    下方係止部
１９      栓キャップ嵌挿部
１９ａ    下方底部
２０      ネジ筒体
２０ａ    ネジ筒部
２１      雄ネジ
２２      鍔部
２３      通気弁
２４      底壁部
２５      小孔
２６      係止部
２７      引掛部
２８      パッキン
２９      裏面部
３０      パッキン
３２      栓キャップ
３３      天板部
３３ａ    脚部
３３ｂ    空室部
３３ｃ    凹溝
３３ｄ    外側周囲部
３３ｅ    裏面部
３４      係止部
３５      空室部
３６      保温部材
【図１】
0005846498.tif 000002
【図２】
0005846498.tif 000003
【図３】
0005846498.tif 000004
【図４】
0005846498.tif 000005
【図５】
0005846498.tif 000006
【図６】
0005846498.tif 000007
【図７】
0005846498.tif 000008